(57)【要約】【課題】  画像処理の対象となる領域が画像の解像度やアスペクト比が変化した際にどのように変化するのかを事前に通知する為の技術を提供すること。【解決手段】  入力画像において画像処理を施す対象となる領域を対象領域として取得する。入力画像の解像度若しくはアスペクト比を変更した画像を変更画像とし、対象領域に対応する該変更画像中の領域を対応領域として特定する。変更画像中の対応領域の位置を対応位置とし、入力画像上の該対応位置に、対応領域と同サイズの枠を重ねて表示部に表示させる。【選択図】  図１
2015011403.tif 000002
【特許請求の範囲】
【請求項１】
入力画像において画像処理を施す対象となる領域を対象領域として取得する手段と、
前記入力画像の解像度若しくはアスペクト比を変更した画像を変更画像とし、前記対象領域に対応する該変更画像中の領域を対応領域として特定する特定手段と、
前記変更画像中の前記対応領域の位置を対応位置とし、前記入力画像上の該対応位置に、前記対応領域と同サイズの枠を重ねて表示部に表示させる表示制御手段と
を備えることを特徴とする画像処理装置。
【請求項２】
前記表示制御手段は更に、前記入力画像上に前記対象領域の枠を重ねて前記表示部に表示させることを特徴とする請求項１に記載の画像処理装置。
【請求項３】
前記表示制御手段は、
前記入力画像上の前記対応位置に前記対応領域と同サイズの枠を重ねることで得られる画像と、前記入力画像上に前記対象領域の枠を重ねることで得られる画像と、を含む画面を前記表示部に表示させることを特徴とする請求項１に記載の画像処理装置。
【請求項４】
前記表示制御手段は、前記入力画像上の前記対応位置に、前記対応領域と同サイズの枠を、前記変更画像の解像度若しくはアスペクト比に対して予め関連づけられている表示形態で重ねて前記表示部に表示させることを特徴とする請求項１乃至３の何れか１項に記載の画像処理装置。
【請求項５】
前記特定手段が前記変更画像から前記対応領域を特定できなかった場合には、前記表示制御手段は、前記入力画像上に前記対象領域の枠を、前記対応領域が前記変更画像中にはないケースに対して予め関連づけられている表示形態で重ねて前記表示部に表示させることを特徴とする請求項１乃至４の何れか１項に記載の画像処理装置。
【請求項６】
前記特定手段が特定した対応領域の一部が前記変更画像外である場合、前記表示制御手段は、前記入力画像上に前記対象領域の枠を、該対応領域の一部が前記変更画像外であるケースに対して予め関連づけられている表示形態で重ねて前記表示部に表示させることを特徴とする請求項１乃至５の何れか１項に記載の画像処理装置。
【請求項７】
更に、前記表示形態を設定する手段を備えることを特徴とする請求項４乃至６の何れか１項に記載の画像処理装置。
【請求項８】
画像処理装置が行う画像処理方法であって、
前記画像処理装置の取得手段が、入力画像において画像処理を施す対象となる領域を対象領域として取得する工程と、
前記画像処理装置の特定手段が、前記入力画像の解像度若しくはアスペクト比を変更した画像を変更画像とし、前記対象領域に対応する該変更画像中の領域を対応領域として特定する特定工程と、
前記画像処理装置の表示制御手段が、前記変更画像中の前記対応領域の位置を対応位置とし、前記入力画像上の該対応位置に、前記対応領域と同サイズの枠を重ねて表示部に表示させる表示制御工程と
を備えることを特徴とする画像処理方法。
【請求項９】
コンピュータを、請求項１乃至７の何れか１項に記載の画像処理装置の各手段として機能させるためのコンピュータプログラム。
【発明の詳細な説明】
【技術分野】
【０００１】
本発明は、画像中の部分領域に対して画像処理を行う為の技術に関するものである。
【背景技術】
【０００２】
近年、撮影された画像に対し、切り出し、マスキング等の画像処理を行う事が出来る画像処理装置が存在する。画像処理装置は様々な処理項目の中から選択された処理を画像に対して施す。この際、画像内のどの位置に画像処理を施すかを選択する必要がある。この位置選択を行う時、ユーザの操作性を向上させるために様々な工夫が行われている。
【０００３】
例えば、特許文献１のように、１枚目の画像に施したトリミング処理の指定範囲を指定した範囲内の画像情報に基づいて２枚目以降の画像のトリミング位置を自動で決定することで操作性を向上させる、という技術が知られている。
【０００４】
また、特許文献２のように、画像の切り出し範囲を画像のアスペクト比に合わせて決定し、切り出した画像のアスペクト比を一定に保つ事で様々な機器での出力を容易にする、という技術が知られている。
【先行技術文献】
【特許文献】
【０００５】
【特許文献１】特開２００６−１００９８７号公報
【特許文献２】特開平１１−１７７８０２号公報
【発明の概要】
【発明が解決しようとする課題】
【０００６】
ところで、指定領域の選択を行う際の操作性を向上させるために、範囲を画素単位で指定させるのではなく、用意された処理位置の候補の中から画像処理を行う位置を選択させる位置選択部を有するものがある。このような処理位置の候補は画像の解像度やアスペクト比によって決定する。これを利用して例えばユーザがある解像度、アスペクト比で画像内に映っている物体に画像処理を施すために指定領域を決定したとする。ここで、画像の解像度、アスペクト比が変化したとする。すると、変更後の画像における処理位置の候補が、変更前の処理位置の候補と異なることによって、ユーザが選択した指定領域が変化し、ユーザが画像処理を施したかった位置と実際に画像処理が行われる位置にズレが生じてしまう。このズレは、従来の手法では画像の解像度やアスペクト比を変更しなければ分からなかった。
【０００７】
本発明はこのような問題に鑑みてなされたものであり、画像処理の対象となる領域が画像の解像度やアスペクト比が変化した際にどのように変化するのかを事前に通知する為の技術を提供する。
【課題を解決するための手段】
【０００８】
本発明の一様態によれば、入力画像において画像処理を施す対象となる領域を対象領域として取得する手段と、前記入力画像の解像度若しくはアスペクト比を変更した画像を変更画像とし、前記対象領域に対応する該変更画像中の領域を対応領域として特定する特定手段と、前記変更画像中の前記対応領域の位置を対応位置とし、前記入力画像上の該対応位置に、前記対応領域と同サイズの枠を重ねて表示部に表示させる表示制御手段とを備えることを特徴とする。
【発明の効果】
【０００９】
本発明の構成により、画像処理の対象となる領域が画像の解像度やアスペクト比が変化した際にどのように変化するのかを事前に通知することができる。
【図面の簡単な説明】
【００１０】
【図１】画像処理装置のハードウェア構成例を示すブロック図。
【図２】画像処理装置が行う処理のフローチャート。
【図３】画像処理装置が行う処理のフローチャート。
【図４】指定領域候補生成回路１２１が行う処理を説明する図。
【図５】画像処理項目選択回路１２２及び指定領域位置選択回路１２３の処理を説明する図。
【図６】画像処理装置に適用可能な装置のハードウェア構成例を示すブロック図。
【図７】通知部１３０が行う処理を説明する図。
【図８】通知部１３０が行う処理を説明する図。
【図９】表示パターン制御回路１３２が行う処理を説明する図。
【図１０】対応領域が変更画像外になる例を説明する図。
【図１１】可視判定を説明する図。
【図１２】不可視判定を説明する図。
【図１３】一部不可視判定を説明する図。
【発明を実施するための形態】
【００１１】
以下、添付図面を参照し、本発明の好適な実施形態について説明する。なお、以下説明する実施形態は、本発明を具体的に実施した場合の一例を示すもので、特許請求の範囲に記載の構成の具体的な実施例の１つである。
【００１２】
［第１の実施形態］
先ず、本実施形態に係る画像処理装置のハードウェア構成例について、図１のブロック図を用いて説明する。図１に示す如く、本実施形態に係る画像処理装置は、画像入力回路１１０、画像処理部１２０、通知部１３０、画像出力回路１４０、表示装置１５０、を有する。図１に示した各機能部の動作については、本実施形態に係る画像処理装置が行う処理のフローチャートを示す図２を参照しながら説明する。
【００１３】
画像入力回路１１０には、動画像を構成する各フレームの画像若しくは静止画像が入力画像として入力される。ステップＳ２１では画像入力回路１１０はこの入力画像を、指定領域候補生成回路１２１に転送する。動画像若しくは静止画像の供給元については別段特定の装置に限るものではなく、例えば、撮像装置であっても良いし、ハードディスクなどのメモリ装置であっても良い。
【００１４】
ステップＳ２１では更に、指定領域候補生成回路１２１は、入力画像を複数の領域に分割する境界線を決定する。指定領域候補生成回路１２１が行う処理について、図４を用いて説明する。
【００１５】
図４では、入力画像４１０が指定領域候補生成回路１２１に入力された場合について示している。入力画像４１０を複数の領域に分割する場合の分割位置には様々なものが考えられる。例えば、画像４２０に示す如く、入力画像４１０を同サイズの領域ごとに分割する方法が考え得る。また、画像４３０に示す如く、画像の中央部に注目したい物体が来ることが多いと考え、画像中心に近いほど分割領域のサイズを小さくし、画像中心から遠いほど分割領域のサイズを大きくするような分割方法もある。
【００１６】
なお、入力画像を複数の領域に分割する場合の分割方法（例えば画像４２０のように分割するのか画像４３０のように分割するのか）は、ユーザが不図示の操作部を用いて設定しても良いし、画像処理装置側で設定されても良い。
【００１７】
図２に戻って次に、ステップＳ２２では、画像処理項目選択回路１２２は、画像入力回路１１０から指定領域候補生成回路１２１を介して入力した入力画像を受けると、該入力画像中の対象領域に対する画像処理を決定するための処理を行う。画像処理項目選択回路１２２が行う処理について、図５（Ａ）を用いて説明する。図５（Ａ）では、入力画像５１０が画像処理項目選択回路１２２に入力された場合について示している。
【００１８】
画像処理項目選択回路１２２は、入力画像５１０中の対象領域に対してどのような画像処理を行うのかを選択指定するためのメニュー５５０を表示装置１５０に表示する。図５（Ａ）に示したメニュー５５０には、画像処理として「ＯＳＤ」、「マスキング」、「トリミング」、「デジタルズーム」が示されている。なお、メニュー５５０が含む画像処理はこれらに限るものではない。
【００１９】
ユーザが不図示の操作部を操作してメニュー５５０の中から１つ以上の画像処理を選択し、決定した旨の指示を入力すると、画像処理項目選択回路１２２は、図５（Ａ）の右側に示す如く、入力画像５１０と共に、選択された画像処理の名称５２１を表示する。入力画像及び選択された画像処理に係る情報の表示形態についてはこれに限るものではない。なお、メニュー５５０から画像処理を選択せずに、決定した旨の指示を入力すると、画像処理項目選択回路１２２は、画像処理の名称は表示しない。
【００２０】
なお、入力画像５１０中の対象領域に対してどのような画像処理を行うのかを選択指定するために、ユーザが選択指定することに代わり、入力画像に基づいて画像処理装置（画像処理項目選択回路１２２）が画像処理を選択指定しても良い。例えば、入力画像に含まれている色情報を基に、色の境界部に沿ってトリミング処理を行うか否かを判断しても良い。また、各画像処理（例えばメニュー５５０に含まれている画像処理）を行うか否かを予め設定しておいても良い。
【００２１】
次に、ステップＳ２３では、指定領域位置選択回路１２３は、指定領域候補生成回路１２１が決定した境界線と、画像入力回路１１０から本装置に入力した入力画像と、を受けると、画像処理の対象となる領域（対象領域）を決定するための処理を行う。指定領域位置選択回路１２３が行う処理について、図５（Ｂ）を用いて説明する。図５（Ｂ）では、入力画像６００が指定領域位置選択回路１２３に入力された場合について示している。
【００２２】
先ず指定領域位置選択回路１２３は図５（Ｂ）の左側に示す如く、入力画像６００を、指定領域候補生成回路１２１が決定した境界線を重畳させた状態で、表示装置１５０に表示する。ユーザは不図示の操作部を操作して、境界線で区切られたそれぞれの分割領域のうち１以上を、画像処理の対象領域として選択する。例えば、ユーザが操作部としてマウスを操作し、ポインタを所望の分割領域に重ねた状態でクリックすることで、該分割領域を画像処理の対象領域として選択することができる。
【００２３】
なお、ステップＳ２２，ステップＳ２３はこの順に実行することに限るものではなく、この逆の順番で実行しても良い。また、画像処理を選択する画面と対象領域を選択する画面とを含むインターフェース画面を表示装置１５０に表示し、このインターフェース画面を介してそれぞれを選択、決定しても良い（この場合、ステップＳ２２，Ｓ２３は１つのステップ内で実行される）。
【００２４】
次に、後述する通知機能を動作させることが予め設定されている場合には、処理はステップＳ２６を介してステップＳ２７に進み、予め設定されていない場合には、処理はステップＳ２４に進む。また、通知機能を動作させることが予め設定されていても、入力画像の解像度及びアスペクト比を変更し、該変更後の対象領域に画像処理を施す旨の指示が、ユーザが不図示の操作部を操作して入力した場合、処理はステップＳ２６を介してステップＳ２４に進む。
【００２５】
ステップＳ２７では通知部１３０は、入力画像の解像度及びアスペクト比を変更した場合に、上記の対象領域がどのように変化するのかを該入力画像上に表す。より具体的には、通知部１３０は先ず、入力画像の解像度若しくはアスペクト比を変更した画像を変更画像とし、対象領域に対応する該変更画像中の領域を対応領域として特定する。そして通知部１３０は、変更画像中の対応領域の位置を対応位置とし、入力画像上の該対応位置に、対応領域と同サイズの枠を重畳させると共に、該入力画像上に上記対象領域の枠も重畳させる。そして通知部１３０は、このようにそれぞれの枠を重畳させた入力画像を画像出力回路１４０に送出するので、画像出力回路１４０は、この画像を表示装置１５０に表示する（表示制御）。そして処理は、ステップＳ２３に戻る。
【００２６】
一方、ステップＳ２４では、ユーザが不図示の操作部を操作して入力画像の解像度及びアスペクト比を変更する操作入力を行うと、画像出力回路１４０は該操作入力に応じて入力画像の解像度及びアスペクト比を変更する。例えば、ユーザが不図示の操作部を操作することで、様々な解像度及びアスペクト比のメニュー画面を表示装置１５０に表示させ、ユーザが該操作部を操作して該メニュー画面から所望の解像度及びアスペクト比を選択する。これにより、入力画像の解像度及びアスペクト比を所望の解像度及びアスペクト比に変更する操作入力を行うことができる。もちろん、入力画像の解像度及びアスペクト比を変更する操作入力方法はこれに限るものではない。また、もちろんのこと、このような操作入力がなければ、入力画像の解像度及びアスペクト比は変更しない。
【００２７】
ステップＳ２５では、画像出力回路１４０は、ステップＳ２４の処理の結果得られる入力画像（変更画像）において、ステップＳ２３で指定された対象領域に該当する領域（対応領域）に対して、ステップＳ２２で選択された画像処理を施す。もちろん、ステップＳ２２において画像処理が指定されていなかったり、ステップＳ２３で対象領域が指定されていない場合には、本ステップでは対応領域に対する画像処理は行わない。そして画像出力回路１４０は、これらの処理の結果得られる入力画像を表示装置１５０に表示する。
【００２８】
このように、図２のフローチャートに従った処理は、事前に通知部１３０による通知機能がオンになっていれば、ユーザが対象領域を指定する度に、解像度及びアスペクト比の変更後の対象領域を通知し、その後、解像度及びアスペクト比の変更を受け付ける。
【００２９】
図２の処理の別の形態を図３に示す。図３において図２と同様の処理を行う処理ステップには同じ参照番号を付しており、該処理ステップに係る説明は省略する。図３のフローチャートに従った処理は、ユーザが解像度及びアスペクト比の変更指示を入力する度に、解像度及びアスペクト比の変更後の対象領域を通知して、該変更指示に従った変更処理を行うのか否かを確認する。
【００３０】
ステップＳ３４では、画像出力回路１４０は、ユーザが不図示の操作部を操作して、入力画像の解像度及びアスペクト比を変更する指示を入力した場合には、該指示を受け取る。
【００３１】
そしてステップＳ３８では、画像出力回路１４０は、ステップＳ３４で受け取った指示に応じて入力画像の解像度及びアスペクト比を変更するか否かをユーザに問い合わせるための画面を表示装置１５０に表示する。ユーザが不図示の操作部を操作して、変更する旨の指示を入力した場合には、処理はステップＳ３５に進み、変更しない旨の指示を入力した場合には、処理はステップＳ２３に進む。ステップＳ３５では、画像出力回路１４０は、ステップＳ３４で受け取った指示に応じて入力画像の解像度及びアスペクト比を変更し、以降は、上記のステップＳ２５と同様の処理を行う。
【００３２】
次に、ステップＳ２７において通知部１３０が行う処理について、図７，８を用いて説明する。ユーザー通知インターフェース制御回路１３１は、画像入力回路１１０が取得した入力画像を、画像処理項目選択回路１２２及び／又は指定領域候補生成回路１２１を介して取得する。図７では、ユーザー通知インターフェース制御回路１３１が入力画像７１０を取得した場合について示している。７１１は、入力画像７１０上でユーザが指定した対象領域の枠を示している。
【００３３】
ユーザー通知インターフェース制御回路１３１は、入力画像７１０の解像度を「１２８０×７２０」（アスペクト比は「１６：９」）に変更した画像（変更画像Ａと呼称する）において、上記対象領域に対応する領域を対応領域として特定する。特定する方法には様々な方法が考え得る。例えば、入力画像の解像度が「Ｈ×Ｖ」、入力画像中で指定された対象領域の４隅の頂点の座標位置が（ｘ、ｙ）であるとする。このとき、以下の式を計算する。
【００３４】
Ｐ（Ｘ，Ｙ）＝（１２８０／Ｈ×ｘ、７２０／Ｖ×ｙ）
そして、変更画像Ａ中のそれぞれの分割領域（変更画像Ａは予め規定の方法で複数の分割領域に分割されている）のうち、４隅の座標位置をＰ（Ｘ，Ｙ）とする領域に含まれる（若しくは最も多くの面積が含まれる）分割領域を、対応領域とする。このようにして、入力画像７１０中の対象領域に対応する、変更画像Ａ中の領域を対応領域（対応領域Ａと呼称する）として特定することができる。ここで、変更画像Ａ中の対応領域Ａの位置（例えば左上隅の位置）を（ｘａ、ｙａ）とする。
【００３５】
同様にして、入力画像７１０中の対象領域に対応する、入力画像７１０の解像度を「６４０×４８０」（アスペクト比は「４：３」）にした画像（変更画像Ｂと呼称する）中の領域を対応領域（対応領域Ｂと呼称する）として特定する。ここで、変更画像Ｂ中の対応領域Ｂの位置（例えば左上隅の位置）を（ｘｂ、ｙｂ）とする。
【００３６】
ユーザー通知インターフェース制御回路１３１は図７の右側に示す如く、入力画像７１０上の位置（ｘａ、ｙａ）に対応領域Ａのサイズの枠７５１を重畳させると共に、入力画像７１０上の位置（ｘｂ、ｙｂ）に対応領域Ｂのサイズの枠７５２を重畳させる。また、ユーザー通知インターフェース制御回路１３１は、入力画像７１０上でユーザが指定した対象領域の枠７１１も重畳させる。解像度及びアスペクト比が異なるそれぞれの枠は、互いに異なる表示形態でもって表示する。図７では、枠７５１は、太線の枠でもって表示し、枠７５２は、点線でもって表示している。もちろん、色や点滅パターンなど、他の表示形態を互いに異ならせて枠を表示させるようにしても構わない。
【００３７】
そしてユーザー通知インターフェース制御回路１３１は、７２２に示す如く、それぞれの枠がどのような解像度及びアスペクト比に対するものであるのかを示す表と、上記のようにそれぞれの枠を重畳させた入力画像と、を含む画面を生成する。そしてユーザー通知インターフェース制御回路１３１は、このようにして生成した画面を、画像出力回路１４０に出力する。
【００３８】
また、ユーザー通知インターフェース制御回路１３１は、図８のように、表示画面を生成しても良い。図８では、ユーザー通知インターフェース制御回路１３１が入力画像８１０を取得した場合について示している。８１１は、入力画像８１０上でユーザが指定した対象領域の枠を示している。
【００３９】
図８では、画面８２０を生成している。該画面８２０には、対象領域の枠８１１を重畳させた入力画像８１０が含まれている。また、この画面８２０には、入力画像８１０上の位置（ｘａ、ｙａ）に対応領域Ａのサイズの枠８４２を重畳させると共に、入力画像８１０上の位置（ｘｂ、ｙｂ）に対応領域Ｂのサイズの枠８４１を重畳させた入力画像８４０が含まれている。また、この画面８２０には、それぞれの枠がどのような解像度及びアスペクト比に対するものであるのかを示す表８５０も含まれている。
【００４０】
ここで、入力画像上に重畳表示するそれぞれの枠がどのような解像度及びアスペクト比に対するものであるのかは、表示パターン制御回路１３２によって予め設定されている。表示パターン制御回路１３２の動作について、図９を用いて説明する。
【００４１】
表示パターン制御回路１３２は、解像度及びアスペクト比のセットごとに枠の表示形態を設定するためのＧＵＩ９２０を、画像出力回路１４０を介して表示装置１５０に表示させる。例えば、解像度「１２８０×７２０」、アスペクト比「１６：９」のセットに対応する表示形態として、太枠で表示する、赤枠で表示する、枠と共に解像度を示すテキスト「１２８０×７２０」を表示する、枠を点滅表示させる、の何れか１つを選択できる。もちろん、２つ以上を選択しても構わない。選択は、例えば、ユーザが不図示の操作部を操作して、対応するボックスを指定すればよい。これは解像度「６４０×４８０」、アスペクト比「４：３」のセットに対応する表示形態を設定する場合も同様である。
【００４２】
また、通知部１３０による通知タイミングは、予め表示タイミング制御回路１３３によって設定される。通知タイミングの例としては、例えば、上述した図２の処理における通知タイミングと、図３の処理における通知タイミングと、があり、何れの通知タイミングを表示タイミング制御回路１３３が設定したのかに応じて、図２，３の何れかの処理が行われる。
【００４３】
また、上記の説明では、解像度及びアスペクト比が変化した場合であっても、対応領域は画像内に収まっていたが、場合によっては対応領域の一部若しくは全部が画像外になってしまう場合もある。
【００４４】
例えば、図１０に示す如く、アスペクト比が１６：９の画像１０００内に対象領域１００１〜１００３が設定されているとする。ここで、この画像１０００のアスペクト比を４：３にした場合（画像１０１０となった場合）に、これに伴って対象領域１００１〜１００３がそれぞれ対応領域１０１１〜１０１３に変換されると、対応領域１０１１が画像１０１０外となる。このような場合、事前に対象領域１００１に対応する対応領域１０１１が解像度及びアスペクト比の変更によって画像外になることを通知する必要がある。可視判定制御回路１３４は、それぞれの対象領域について、上記変更後に画像外になってしまうか否かをチェックする。図１０の場合、対象領域１００１は画像１０１０外の対応領域１０１１となるので、不可視領域と判定される。対象領域１００２は画像１０１０内の対応領域１０１２となるので、可視領域と判定される。対象領域１００３は一部が画像１０１０外となるので、一部不可視領域と判定される。
【００４５】
まず、アスペクト比を変更しても見えている可視判定時を図１１を用いて説明する。図１１では、入力画像１１００を対象とし、１１０１は入力画像１１００に対して指定した対象領域である。可視判定制御回路１３４は、入力画像１１００のアスペクト比を変更しても、対象領域１１０１に対応する対応領域は変更画像内に収まっているものと判定した（１１１１）。然るにこのような場合には、通知部１３０による上記の通知機能により、図１１の右側に示す如く、それぞれのアスペクト比に対応する枠を、対象領域の枠と共に入力画像１１００上に重畳させる（１１２１）。
【００４６】
次に、完全に見えなくなると判定された不可視判定時を図１２を用いて説明する。図１２では、入力画像１２００を対象とし、１２０１は入力画像１２００に対して指定した対象領域である。可視判定制御回路１３４は、入力画像１２００のアスペクト比を変更すると、対象領域１２０１に対応する対応領域は変更画像外となってしまっているものと判定した（１２１０）。然るにこのような場合、可視判定制御回路１３４は、対象領域１２０１が不可視領域であることをユーザー通知インターフェース制御回路１３１に通知するので、ユーザー通知インターフェース制御回路１３１は、その旨を表示パターン制御回路１３２に通知する。これにより表示パターン制御回路１３２は、１２３１に示す如く、対象領域の枠を、不可視領域の表示形態として予め設定された表示形態（図１２では点線）でもって表示する。
【００４７】
この表示形態は１２２０に示す如く、「表示しない」というものであっても良いし、４隅を括弧で示し、色を青とするアイコンでもって表示する形態としても良い。１２２０のようなテーブルは予め作成するか、若しくはユーザが不図示の操作部を操作して設定する。もちろん、表示形態はこれに限るものではない。
【００４８】
最後に、一部が見えなくなると判定された一部不可視判定時を図１３を用いて説明する。図１３では、入力画像１３００を対象とし、１３０１は入力画像１３００に対して指定した対象領域である。可視判定制御回路１３４は、入力画像１３００のアスペクト比を変更すると、対象領域１３０１に対応する対応領域の一部は変更画像外（残りの部分は変更画像内）となってしまっているものと判定した（１３１０）。然るにこのような場合、可視判定制御回路１３４は、対象領域１３０１が一部不可視領域であることをユーザー通知インターフェース制御回路１３１に通知する。ユーザー通知インターフェース制御回路１３１は、その旨を表示パターン制御回路１３２に通知する。これにより表示パターン制御回路１３２は、１３３１に示す如く、対象領域を、一部不可視領域の表示形態として予め設定された表示形態（図１３では左側の部分が黒で右の部分が白）でもって表示する。
【００４９】
この表示形態は１３２０に示す如く、「表示しない」というものであっても良いし、対応領域のうち変更画像内に含まれる部分の４隅を括弧で示し、色を青とするアイコンでもって表示する形態としても良い。また、対応領域のうち変更画像内に含まれる部分を点線で囲って色を黒とし、含まれていない部分を実線で囲って色は白とするアイコンでもって表示する形態としても良い。１３２０のようなテーブルは予め作成するか、若しくはユーザが不図示の操作部を操作して設定する。もちろん、表示形態はこれに限るものではない。
【００５０】
ここで、上記の通り、対象領域は画像中に複数個設定可能であるため、当然ながら、対応領域もそれに応じて複数個となる。然るに、上記のような対応領域の表示は、対応領域ごとに個別に行うようにしても構わない。すなわち、対象領域ごとに表示形態を変更しても構わない。
【００５１】
このように、入力画像の解像度やアスペクト比を変更する前に、ユーザに画像処理範囲がどのように変化するのかを通知することができるために、ユーザは画像に適した画像処理範囲を決定する事が出来るようになり、ユーザの利便性が向上する。
【００５２】
［第２の実施形態］
第１の実施形態では、解像度及びアスペクト比の両方が変更されるケースを例にとり説明したが、一方のみが変更されるケースにおいても、第１の実施形態は同様に適用することができる。
【００５３】
また、入力画像中の対象領域に対応する、変更画像中の領域を特定する方法としては、第１の実施形態で説明したような計算による方法も考えられるが、画像間で対応する分割領域同士を予め関連づけたテーブルを用いる方法も考え得る。
【００５４】
このテーブルには、例えば、入力画像中のそれぞれの分割領域の識別情報と、変更画像において該分割領域に対応する分割領域の識別情報と、を関連づけて登録する。このようなテーブルを参照すれば、一方の画像中の分割領域に対応する他方の画像中の分割領域を特定することができるので、入力画像中の対象領域に対応する、変更画像中の対応領域を特定することが可能となる。
【００５５】
［第３の実施形態］
第１の実施形態では、画像入力回路１１０、画像処理部１２０、通知部１３０、画像出力回路１４０、は何れもハードウェアで構成されているものとして説明したが、これらの各部をコンピュータプログラムで実装することもできる。このようなコンピュータプログラム、即ち、画像入力回路１１０、画像処理部１２０、通知部１３０、画像出力回路１４０の機能をＣＰＵに実行させる為のコンピュータプログラムを実行可能な装置は第１の実施形態に係る画像処理装置として機能することになる。
【００５６】
このようなコンピュータプログラムを実行可能な装置の構成例について、図６のブロック図を用いて説明する。なお、図６の構成はあくまでも一例であり、このようなコンピュータプログラムを実行可能な構成であれば、如何なる構成を採用しても構わない。
【００５７】
ＣＰＵ６５１は、ＲＡＭ６５２やＲＯＭ６５３に格納されているコンピュータプログラムやデータを用いて処理を実行することで、本装置全体の動作制御を行うと共に、第１の実施形態に係る画像処理装置が行うものとして上述した各処理を実行する。
【００５８】
ＲＡＭ６５２は、外部記憶装置６５６からロードしたコンピュータプログラムやデータ、Ｉ／Ｆ（インターフェース）６５７を介して外部機器からダウンロードしたコンピュータプログラムやデータを記憶するためのエリアを有する。更にＲＡＭ６５２は、ＣＰＵ６５１が各種の処理を実行する際に用いるワークエリアも有する。即ち、ＲＡＭ６５２は、各種のエリアを適宜提供することができる。ＲＯＭ６５３には、本装置の設定データやブートプログラムなどが格納されている。
【００５９】
操作部６５４は、キーボードやマウスなどにより構成されており、本装置のユーザが操作することで、各種の指示をＣＰＵ６５１に対して入力することができる。例えば、上記の「不図示の操作部」として操作部６５４を適用しても構わない。
【００６０】
表示部６５５は、ＣＲＴや液晶画面等により構成されており、ＣＰＵ６５１による処理結果を画像や文字などでもって表示することができる。表示部６５５は、例えば、上記の表示装置１５０として適用可能である。
【００６１】
外部記憶装置６５６は、ハードディスクドライブ装置などの大容量情報記憶装置である。外部記憶装置６５６には、ＯＳ（オペレーティングシステム）や、上記の画像処理装置が行うものとして上述した各処理をＣＰＵ６５１に実行させるためのコンピュータプログラムやデータが保存されている。このコンピュータプログラムには、画像入力回路１１０、画像処理部１２０、通知部１３０、画像出力回路１４０の機能をＣＰＵ６５１に実行させるためのコンピュータプログラムが含まれている。また、このデータには、既知の情報として上述したデータや、動画像や静止画像のデータが含まれている。
【００６２】
外部記憶装置６５６に保存されているコンピュータプログラムやデータは、ＣＰＵ６５１による制御に従って適宜ＲＡＭ６５２にロードされ、ＣＰＵ６５１による処理対象となる。
【００６３】
Ｉ／Ｆ６５７は、本装置をネットワークや外部機器に接続するためのインターフェースであり、例えば、動画像や静止画像を撮像する撮像装置をこのＩ／Ｆ６５７に接続することができる。上記の各部は何れもバス６５８に接続されている。
【００６４】
（その他の実施例）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
2015011403.tif 000003
【図２】
2015011403.tif 000004
【図３】
2015011403.tif 000005
【図４】
2015011403.tif 000006
【図５】
2015011403.tif 000007
【図６】
2015011403.tif 000008
【図７】
2015011403.tif 000009
【図８】
2015011403.tif 000010
【図９】
2015011403.tif 000011
【図１０】
2015011403.tif 000012
【図１１】
2015011403.tif 000013
【図１２】
2015011403.tif 000014
【図１３】
2015011403.tif 000015